(57)【特許請求の範囲】
【請求項１】
コイル部、継鉄、ヒンジバネおよび接極子により構成される電磁石ブロックと、
固定接点を有する固定接点板と、
前記固定接点に対向する可動接点を有する可動バネと、
前記電磁石ブロック、固定接点板および可動バネが一の面側に取着されるボディと、
前記接極子に係合し接極子の回動動作に応じて可動接点が固定接点に当接開離するように可動バネを変位させるカードと
を備え、
前記継鉄は、前記ボディの一の面側に、一の方向またはこの一の方向と直交する方向に端面が延びる突起部を有し、
前記ボディは、前記継鉄の突起部挿入用であって、当該ボディの一の面側に、一の方向に端面が延びる突起部および一の方向と直交する方向に端面が延びる突起部の双方に凹凸嵌合する挿入口を有する
ことを特徴とする電磁リレー。
【請求項２】
前記挿入口はＴ字形、Ｌ字形または十字形に形成されていることを特徴とする請求項１記載の電磁リレー。
【請求項３】
前記挿入口にはダボが形成され、前記継鉄は突起部が前記挿入口に圧入されて前記ボディに固定されていることを特徴とする請求項２記載の電磁リレー。
【請求項４】
前記挿入口には接着剤が塗布され、前記継鉄は突起部が前記挿入口に挿入されて前記ボディに接着固定されていることを特徴とする請求項２記載の電磁リレー。
【請求項５】
前記突起部および挿入口は３対設けられ、これらのうちの一対は他の２対を結ぶ直線上外に設けられていることを特徴とする請求項２から４のいずれかに記載の電磁リレー。
【発明の詳細な説明】
【０００１】
【発明の属する技術分野】
本発明は、コイル部、継鉄、継鉄に対して揺動自在に設けられる接極子、この接極子の揺動に応じて当接ないし開離状態となる可動接点および固定接点などにより構成される電磁リレーに関するものである。
【０００２】
【従来の技術】
従来、このようなコイル部、継鉄、接極子、可動接点および固定接点などにより構成される電磁リレーは種々市販されまた提案されている。
【０００３】
【発明が解決しようとする課題】
ここで、特願平１１−３０４７３４号および特願平１１−３２２７００号などで本出願人により別途提案されている電磁リレーの構成図を図１３に示す。ただし、図１３（ａ）では継鉄の詳細構造が分かるように継鉄を電磁石ブロックとは別に重複表示してある。また、便宜上、図１３の前後左右上下の各方向を適宜使用して説明を行う。
【０００４】
図１３に示す電磁リレーは、いわゆるラッチ型（ラッチングリレー）に属し、大別すると、固定接点バネブロック１１と、可動接点バネブロック１２と、電磁石ブロック１３と、カード１５と、これら各部品を内部に収納する器体１６とを備えている。
【０００５】
固定接点バネブロック１１は、金属板を屈曲して成る固定側端子１１１と、この固定側端子１１１の上端にリベットで下端が締結される金属製の板バネ１１２と、この板バネ１１２の上部に固着される金属製の固定接点とにより構成されている。ただし、固定接点は板バネ１１２の左側の面に形成された有底で円筒状の溝に固着される（後述の図４参照）。
【０００６】
可動接点バネブロック１２は、金属板により成る可動側端子１２１と、この可動側端子１２１の上端にリベットで下端が締結される金属製の板バネ１２２と、この板バネ１２２の上部に固着される金属製の可動接点１２３とにより構成されている。また、板バネ１２２の上端にはカード１５装着用の突片１２２ａが上方に突設されている。
【０００７】
電磁石ブロック１３は、右方に屈曲するＴ字状の両端部１３１ａを有する形状に形成される継鉄１３１と、樹脂製のボビン１３２と、このボビン１３２を介して継鉄１３１における両端部１３１ａ間の中央部にコイル電線を巻回して成るコイル部１３３と、ボビン１３２の下端側に、左右に並設されて一体に固着され、コイル部１３３の両端がそれぞれ接続（例えば半田接続）される一対のコイル端子１３４と、接極子ブロック１４とにより構成されている。
【０００８】
この接極子ブロック１４は、永久磁石１４１、接極子１４２、補助継鉄１４３およびヒンジバネ１４４により構成されている。
【０００９】
永久磁石１４１は、上下方向の長さが継鉄１３１の両端部１３１ａ間の長さよりも短い板状に形成されており、本電磁リレーの組立ての前または後に、右面側がＳ極となり左面側がＮ極となるように、または右面側がＮ極となり左面側がＳ極となるように着磁される。例えば、本電磁リレーの組立後に永久磁石１４１を着磁すれば、本電磁リレー内部への鉄粉などの付着および混入を防止することができる。
【００１０】
接極子１４２は、上下方向の長さが継鉄１３１の両端部１３１ａ間の長さよりも長い板状に形成されて成り、上端に突設されたカード１５装着用の突部１４２ａと、左面中央に突設された突部と、右面における上下側にそれぞれ突設された一対の軸部１４２ｃとを有し、永久磁石１４１に対して右側に配置されている。
【００１１】
補助継鉄１４３は、上下方向の長さが継鉄１３１の両端部１３１ａ間の長さと同程度で若干短い長さの板状に形成されて成り、ヒンジバネ１４４の固定用であって前方および後方の各側壁中央に突設された突起１４３ａと、当該補助継鉄１４３を器体１６に固定するためのものであって後方の側壁の両端側にそれぞれ突設された一対の突起１４３ｂ（後述の図２参照）と、左右方向に貫通された２つの孔１４３ｃ（図２参照）とを有し、永久磁石１４１に対して左側に配置されている。ただし、補助継鉄１４３の上下側の各側壁前方には、図１３（ｂ）に示すように、継鉄１３１における前方の端部１３１ａの左方側に載る凸部１４３ｄが突設されている。
【００１２】
ヒンジバネ１４４は、永久磁石１４１、接極子１４２および補助継鉄１４３を一体に固定するもので、弾性を有する薄手の金属板により形成されて成り、前後上下に伸びるクロス状に形成され接極子１４２の右面に取着される中央部１４４ａと、上下左右に伸びるクロス状に形成され中央部１４４ａの前後端からそれぞれ左方に延びて補助継鉄１４３の前後両側面に取着される両端部１４４ｂとを有している。また、中央部１４４ａの上下に伸びる各部には、接極子１４２の軸部１４２ｃが挿入される孔１４４ｄが穿設されている。また、各端部１４４ｂの左方に伸びる部分には、補助継鉄１４３の突起１４３ａが嵌入される孔１４４ｅが穿設されている。さらに、各端部１４４ｂの上下端には、永久磁石１４１の上下動を阻止するための突片１４４ｆが形成されている。
【００１３】
ここで、電磁石ブロック１３の製造手順を説明する。ボビン１３２の図示しない溝に継鉄１３１を挿入し、コイル電線をボビン１３２に巻回してコイル部１３３を設け、続いて、コイル部１３３の両端を一対のコイル端子１３４にそれぞれ接続する。一方、ヒンジバネ１４４の各孔１４４ｄに、接極子１４２の対応する軸部１４２ｃを挿入し、永久磁石１４１を両端部１４４ｂで狭持させ、続いて、ヒンジバネ１４４の各孔１４４ｅに、補助継鉄１４３の対応する突起１４３ａを嵌入する。これにより、永久磁石１４１、接極子１４２および補助継鉄１４３をヒンジバネ１４４で一体に固定した接極子ブロック１４が得られ、この接極子ブロック１４とともにボディ１６の前面側に一体的に組み付けられる電磁石ブロック１３が得られる。すなわち、磁気回路内に永久磁石１４１を有する有極タイプの電磁石ブロック１３が得られるのである。
【００１４】
カード１５は、樹脂などにより板状に形成されて成り、可動接点バネブロック１２の突片１２２ａの嵌入用であって右端側に穿設された孔１５ａと、接極子１４２の突部１４２ａの嵌入用であって左端側に穿設された孔１５ｂと、左右方向に伸びる孔１５ｃとを有している。
【００１５】
器体１６は、樹脂製のボディＡ１６１および図略のカバーにより構成される。ボディＡ１６１は、固定接点バネブロック１１および可動接点バネブロック１２を収納固定するためのものであって右側の部分から前方に突設された隔壁１６１ａ〜１６１ｅと、補助継鉄１４３の各突起１４３ｂが嵌入される溝１６１ｆと、継鉄１３１の各端部１３１ａの後方側の突起部１３１ｂが嵌入される四角状の継鉄挿入口Ａ１６１ｇと、カード１５の孔１５ｃに挿入してカード１５の左右方向の動きを規制するものであって隔壁１６１ｅの上面に突設された図略の突部と、電磁石ブロック１３の一対のコイル端子１３４が挿通される一対の孔１６１ｈとを有している。一方、カバーは、ボディＡ１６１の前面側を閉塞する箱状に形成される。
【００１６】
次に、このように構成される電磁リレーの組立手順の一例を説明する。まず、固定接点バネブロック１１および可動接点バネブロック１２をボディＡ１６１の所定位置に収納固定する。このとき、さらに接着剤を使用するのが望ましい。
【００１７】
この後、電磁石ブロック１３の各コイル端子１３４をボディＡ１６１の対応する孔１６１ｈに挿入し、継鉄１３１の各突起部１３１ｂを対応する継鉄挿入口Ａ１６１ｇに嵌入して、電磁石ブロック１３の一部をボディＡ１６１に固定する。このとき、さらに接着剤を使用するのが望ましい。続いて、電磁石ブロック１３の残部である接極子ブロック１４を、各突起１４３ｂをボディＡ１６１の対応する溝１６１ｆに嵌入してボディＡ１６１に固定する。このとき、さらに接着剤を使用するのが望ましい。これにより、電磁石ブロック１３がボディＡ１６１に組み付けられる。
【００１８】
この後、カード１５の孔１５ａおよび１５ｂにそれぞれ可動接点バネブロック１２の突片１２２ａおよび接極子１４２の突部１４２ａを嵌入する。続いて、ボディＡ１６１にカバーを被せて固定すれば、本電磁リレーが得られる。
【００１９】
このようにして組み立てられた本電磁リレーでは、接極子１４２の位置がこの左面中央に突設された突部と磁極位置との２点で決まるので、不要な隙間が生じなくなって磁気ギャップが生じなくなる。これにより、磁気特性の変動が小さくなり、耐衝撃性が向上する。また、感度調整が容易になる。
【００２０】
さらに、電磁石ブロック１３のうち、接極子ブロック１４側が突起１４３ｂでボディＡ１６１に固定される一方、継鉄１３１側がその突起部１３１ｂでボディＡ１６１に固定される構造になっているので、電磁リレーの組立てが容易になるほか、継鉄１３１が接極子１４２の位置決めをする部品となるため、可動接点バネブロック１２に対する接極子１４２の位置決め精度がよくなる。
【００２１】
ここで、有極タイプの電磁石ブロック１３に代えて、磁気回路内に永久磁石を有さない無極タイプの電磁石ブロックを使用し、シングルスティブル動作する電磁リレーを構成する場合、可動接点バネブロック１２と接極子との位置決め精度を電磁石ブロック１３と同程度確保するためには、接極子の位置決めをする継鉄とボディとを固定する必要がある。
【００２２】
しかしながら、無極タイプの電磁石ブロックで使用される継鉄の突起部が電磁石ブロック１３のそれと形状が異なるので、ボディＡ１６１の継鉄挿入口Ａ１６１ｇでは無極タイプの継鉄を挿入することができない。このため、図１４（ａ）に示すように、有極タイプと無極タイプの双方の継鉄が挿入できる寸法に四角状の継鉄挿入口を大きくしたとしても、図１４（ｂ），（ｃ）に示すように、継鉄の上下（Ｙ）方向または左右（Ｘ）方向の位置決めができなくなる。ただし、図１４（ｂ）の斜線部は有極タイプの継鉄の突起部の大きさを示し、図１４（ｃ）の斜線部は無極タイプの継鉄の突起部の大きさを示す。
【００２３】
また、無極タイプの継鉄用の継鉄挿入口をボディの別の場所に設けるとボディの強度が低下し、ボディの強度を確保するとボディのサイズが大きくなる。
【００２４】
さらに、継鉄とボディとの固定を強固にするため、継鉄挿入口に接着剤を塗布すると、継鉄と接極子が接する面（図１３（ｂ）のＡ参照）に接着剤が這い上がることがあり、接極子の動作不良の原因となる。また、この対策のための接着剤の塗布量管理は難しい。
【００２５】
本発明は、上記事情に鑑みてなされたものであり、電磁石ブロックが異なるタイプであっても、ボディの強度を低下させずに、がたつきなく電磁石ブロックをボディに固定することができるとともに、ボディと電磁石ブロックとの固定に接着剤を使用したとしても、接着剤の這い上がりに起因する接極子の動作不良を防止しうる電磁リレーを提供することを目的とする。
【００２６】
【課題を解決するための手段】
上記課題を解決するための請求項１記載の発明の電磁リレーは、コイル部、継鉄、ヒンジバネおよび接極子により構成される電磁石ブロックと、固定接点を有する固定接点板と、前記固定接点に対向する可動接点を有する可動バネと、前記電磁石ブロック、固定接点板および可動バネが一の面側に取着されるボディと、前記接極子に係合し接極子の回動動作に応じて可動接点が固定接点に当接開離するように可動バネを変位させるカードとを備え、前記継鉄は、前記ボディの一の面側に、一の方向またはこの一の方向と直交する方向に端面が延びる突起部を有し、前記ボディは、前記継鉄の突起部挿入用であって、当該ボディの一の面側に、一の方向に端面が延びる突起部および一の方向と直交する方向に端面が延びる突起部の双方に凹凸嵌合する挿入口を有することを特徴とする。
【００２７】
請求項２記載の発明は、請求項１記載の電磁リレーにおいて、前記挿入口はＴ字形、Ｌ字形または十字形に形成されていることを特徴とする。
【００２８】
請求項３記載の発明は、請求項２記載の電磁リレーにおいて、前記挿入口にはダボが形成され、前記継鉄は突起部が前記挿入口に圧入されて前記ボディに固定されていることを特徴とする。
【００２９】
請求項４記載の発明は、請求項２記載の電磁リレーにおいて、前記挿入口には接着剤が塗布され、前記継鉄は突起部が前記挿入口に挿入されて前記ボディに接着固定されていることを特徴とする。
【００３０】
請求項５記載の発明は、請求項２から４のいずれかに記載の電磁リレーにおいて、前記突起部および挿入口は３対設けられ、これらのうちの一対は他の２対を結ぶ直線上外に設けられていることを特徴とする。
【００３１】
【発明の実施の形態】
図１は本発明に係る第１実施形態の電磁リレーの説明図、図２は有極タイプの電磁石ブロックの説明図、図３は無極タイプの電磁石ブロックの説明図、図４はボディなどを示す図、図５は継鉄挿入口の形状を示す図、図６は有極タイプの電磁石ブロックを有する電磁リレーの斜視図、図７は無極タイプの電磁石ブロックを有する電磁リレーの斜視図であり、これらの図を用いて以下に第１実施形態の説明を行う。ただし、図１、図２、図３および図４では一部または全部の部品を重複表示してある。また、図１３と同じ部品には同じ符号を付しその説明を省略する。
【００３２】
第１実施形態の電磁リレーは、図１に示すように、固定接点バネブロック１１と、可動接点バネブロック１２と、カード１５と、器体１６の図示しないカバーとを図１３の電磁リレーと同様に備えているほか、図１３の電磁リレーとの相違点として、有極タイプの電磁石ブロック１３または無極タイプの電磁石ブロック２３と、ボディ１６１とを備えている。なお、有極タイプの電磁石ブロック１３は、図１および図２に示すように、図１３に示した電磁リレーのそれと同じものである。
【００３３】
無極タイプの電磁石ブロック２３は、図１および図３に示すように、上下方向に延びる円柱状に形成されて成り下側の一端にフランジ部２３０ａを有する鉄芯２３０と、樹脂製のボビン２３２と、このボビン２３２を介して鉄芯２３０の軸回りにコイル電線を巻回して成るコイル部２３３と、ボビン２３２の左方上下端に一体に固着され、コイル部２３３の両端がそれぞれ接続（例えば半田接続）される一対のコイル端子２３４とに加えて、継鉄２３１と、接極子２３５と、ヒンジバネ２３６とにより構成されている。
【００３４】
継鉄２３１は、鉄芯２３０の他端が挿入される孔を有する板状の結合部２３１ａと、この結合部２３１ａの右端から下方に延びる板状の延設部２３１ｂとを有する屈曲した形状に形成されて成り、延設部２３１ｂの右面には一対の軸部２３１ｃが突設され、延設部２３１ｂの後方側壁の上下から後方に一対の突起部２３１ｄが突設されている。
【００３５】
接極子２３５は、鉄芯２３０のフランジ部２３０ａと対向する板状の接離部２３５ａと、この接離部２３５ａの右端から上方に延びる板状の従動部２３５ｂとを有する形状に金属板を屈曲して成り、従動部２３５ｂの下方側には長方形状の孔２３５ｃが穿設され、従動部２３５ｂの上端にはカード１５の孔１５ｂに嵌入される突部２３５ｄが形成されている。
【００３６】
ヒンジバネ２３６は、一対の軸部２３１ｃが嵌入される一対の孔を有し継鉄２３１の延設部２３１ｂの右面に取着される取着部２３６ａと、この取着部２３６ａの下方に延設され断面が右方に凸の保持部２３６ｂとを有する形状に、弾性を有する薄手の金属板により形成されて成り、保持部２３６ｂを接極子２３５の孔２３５ｃに挿通した状態で、接極子２３５を回動自在に保持する構造になっている。
【００３７】
ボディ１６１は、図４に示すように、図１３に示した四角状の継鉄挿入口Ａ１６１ｇに代えて、足部が内向きとなるＴ字状の継鉄挿入口１６１ｇを一対有している以外は図１３に示したボディＡ１６１と同様に形成されている。なお、図１および図４において、ボディ１６１の前面側における上方左寄りにもコイル端子挿通用の孔１６１ｈが穿設されている。
【００３８】
ここで、図１に示すように、電磁石ブロック１３の継鉄１３１は、ボディ１６１の前面側に、左右（Ｘ）方向に端面が延びる突起部１３１ｂを有する一方、電磁石ブロック２３の継鉄２３１は、ボディ１６１の前面側に、上下（Ｙ）方向に端面が延びる突起部２３１ｄを有するので、図１４（ａ）に示すように、四角状の継鉄挿入口を大きくする方法では、図１４（ｂ），（ｃ）に示すように、継鉄のＹ方向またはＸ方向の位置決めができなくなる。
【００３９】
これに対し、第１実施形態では、図５（ａ）に示すように、継鉄挿入口１６１ｇをＴ字状に形成したので、継鉄挿入口１６１ｇの寸法を適切な寸法に設定すれば、有極タイプの電磁石ブロック１３を使用して図６に示す電磁リレーを構成する場合、図５（ｂ）に示すように、継鉄１３１の突起部１３１ｂを継鉄挿入口１６１ｇの頭部側に嵌合させることができるとともに、無極タイプの電磁石ブロック２３を使用して図７に示す電磁リレーを構成する場合、図５（ｃ）に示すように、継鉄２３１の突起部２３１ｄを継鉄挿入口１６１ｇの足部から頭部にかけて嵌合させることができる。
【００４０】
このように、継鉄挿入口を、上記突起部の双方に凹凸嵌合するようにＴ字状に形成すれば、電磁石ブロックが有極タイプであっても無極タイプであっても、ボディの強度を低下させずに、がたつきなく電磁石ブロックをボディに固定することができるとともに、ボディと電磁石ブロックとの固定に接着剤を使用したとしても、継鉄挿入口に隙間が残るから（図５（ｂ），（ｃ）参照）、接着剤の這い上がりに起因する接極子の動作不良を防止することができる。
【００４１】
なお、第１実施形態では、継鉄挿入口１６１ｇはＴ字状になっているが、これに限らず、図８に示すようなＬ字状の継鉄挿入口２６１ｇでもよく、あるいは図９に示すような十字状の継鉄挿入口３６１ｇでもよい。これらいずれの継鉄挿入口でも、上記第１実施形態と同様の効果を奏することができる。
【００４２】
図１０は継鉄挿入口を示す図であり、この図を用いて以下に本発明に係る第２実施形態の電磁リレーの説明を行う。
【００４３】
第２実施形態の電磁リレーは、図１０に示すように、各継鉄挿入口１６１ｇにダボ１６１Ｉが形成されている以外は第１実施形態の電磁リレーと同様に構成される。
【００４４】
このように、各継鉄挿入口１６１ｇにダボ１６１Ｉを形成すれば、有極タイプまたは無極タイプの電磁石ブロックにおける継鉄の突起部を継鉄挿入口１６１ｇに圧入することで、その継鉄をボディに固定することができ、継鉄とボディとの固定が強固になる。
【００４５】
図１１は継鉄挿入口を示す図であり、この図を用いて以下に本発明に係る第３実施形態の電磁リレーの説明を行う。
【００４６】
第３実施形態の電磁リレーは、図１１に示すように、各継鉄挿入口１６１ｇに接着剤Ｂが塗布される以外は第１実施形態の電磁リレーと同様に構成される。
【００４７】
このように、各継鉄挿入口１６１ｇに接着剤Ｂを塗布すれば、有極タイプまたは無極タイプの電磁石ブロックにおける継鉄の突起部を継鉄挿入口１６１ｇに挿入することで、その継鉄をボディに接着固定することができ、継鉄とボディとの固定が強固になる。また、継鉄挿入口に隙間が残るから、接着剤の這い上がりに起因する接極子の動作不良を防止することができる。
【００４８】
図１２は本発明に係る第４実施形態の電磁リレーの説明図であり、この図を用いて以下に第４実施形態の説明を行う。ただし、図１２では一部の部品を重複表示してある。
【００４９】
第２実施形態の電磁リレーは、無極タイプの電磁石ブロックを使用して構成されるものであって、図１２に示すように、その無極タイプの電磁石ブロック２３の継鉄２３１が、結合部２３１ａの後方側壁左方から後方に突設した突起部２３１ｅをさらに有する以外は、第１実施形態の電磁リレーであって無極タイプの電磁石ブロック２３を使用するものと同様に構成される。なお、図１２において、ボディ１６１の前面側における上方左寄りの孔１６１ｈの近傍には、継鉄２３１の突起部２３１ｅ用の継鉄挿入口１６１Ｊが穿設されている。
【００５０】
つまり、突起部２３１ｄ，２３１ｅおよび継鉄挿入口１６１ｇ，１６１Ｊは３対設けられ、これらのうち一対の突起部２３１ｅおよび継鉄挿入口１６１Ｊは、他の２対を結ぶ直線上外に設けられている。これにより、継鉄２３１は、上下方向を境にして左右方向にがたつくことがなくなり、ボディ１６１に強固に固定されることになる。
【００５１】
【発明の効果】
以上のことから明らかなように、請求項１記載の発明によれば、コイル部、継鉄、ヒンジバネおよび接極子により構成される電磁石ブロックと、固定接点を有する固定接点板と、前記固定接点に対向する可動接点を有する可動バネと、前記電磁石ブロック、固定接点板および可動バネが一の面側に取着されるボディと、前記接極子に係合し接極子の回動動作に応じて可動接点が固定接点に当接開離するように可動バネを変位させるカードとを備え、前記継鉄は、前記ボディの一の面側に、一の方向またはこの一の方向と直交する方向に端面が延びる突起部を有し、前記ボディは、前記継鉄の突起部挿入用であって、当該ボディの一の面側に、一の方向に端面が延びる突起部および一の方向と直交する方向に端面が延びる突起部の双方に凹凸嵌合する挿入口を有するので、電磁石ブロックが、一の方向に端面が延びる突起部を有する継鉄または一の方向と直交する方向に端面が延びる突起部を有する継鉄などで構成される異なるタイプであっても、ボディの強度を低下させずに、がたつきなく電磁石ブロックをボディに固定することができるとともに、ボディと電磁石ブロックとの固定に接着剤を使用したとしても、接着剤の這い上がりに起因する接極子の動作不良を防止することができる。
【００５２】
請求項２記載の発明によれば、請求項１記載の電磁リレーにおいて、前記挿入口はＴ字形、Ｌ字形または十字形に形成されているので、電磁石ブロックが異なるタイプであっても、ボディの強度を低下させずに、がたつきなく電磁石ブロックをボディに固定することができるとともに、ボディと電磁石ブロックとの固定に接着剤を使用したとしても、接着剤の這い上がりに起因する接極子の動作不良を防止することができる。例えば、継鉄の一の方向と、一の方向と直交する方向との位置決めを確保しつつ、有極タイプと無極タイプの電磁石ブロックを組み込むことができる。また、ボディのサイズをほとんど大きくすることなく、いずれか一方の電磁石ブロックを組み込むことができる。
【００５３】
請求項３記載の発明によれば、請求項２記載の電磁リレーにおいて、前記挿入口にはダボが形成され、前記継鉄は突起部が前記挿入口に圧入されて前記ボディに固定されているので、継鉄とボディとの固定が強固になる。
【００５４】
請求項４記載の発明によれば、請求項２記載の電磁リレーにおいて、前記挿入口には接着剤が塗布され、前記継鉄は突起部が前記挿入口に挿入されて前記ボディに接着固定されているので、継鉄とボディとの固定が強固になる。また、塗布した接着剤のうち余分な接着剤を逃がす隙間が挿入口にできるので、接着剤の塗布量の管理が楽になる。
【００５５】
請求項５記載の発明によれば、請求項２から４のいずれかに記載の電磁リレーにおいて、前記突起部および挿入口は３対設けられ、これらのうちの一対は他の２対を結ぶ直線上外に設けられているので、その直線を境とする傾きを防止することができる。
【図面の簡単な説明】
【図１】本発明に係る第１実施形態の電磁リレーの説明図である。
【図２】有極タイプの電磁石ブロックの説明図である。
【図３】無極タイプの電磁石ブロックの説明図である。
【図４】ボディなどを示す図である。
【図５】継鉄挿入口の形状を示す図である。
【図６】有極タイプの電磁石ブロックを有する電磁リレーの斜視図である。
【図７】無極タイプの電磁石ブロックを有する電磁リレーの斜視図である。
【図８】継鉄挿入口の別の形状例を示す図である。
【図９】継鉄挿入口の別の形状例を示す図である。
【図１０】本発明に係る第２実施形態の電磁リレーで使用されるボディの継鉄挿入口を示す図である。
【図１１】本発明に係る第３実施形態の電磁リレーで使用されるボディの継鉄挿入口を示す図である。
【図１２】本発明に係る第４実施形態の電磁リレーの説明図である。
【図１３】電磁リレーの構成図である。
【図１４】有極タイプと無極タイプの双方の継鉄が挿入できるサイズに四角状の継鉄挿入口を大きくした場合の例を示す図である。
【符号の説明】
１１  固定接点バネブロック
１２  可動接点バネブロック
１３  電磁石ブロック
１３１  継鉄
１３１ｂ  突起部
１３２  ボビン
１３３  コイル部
１３４  コイル端子
１４  接極子ブロック
１４１  永久磁石
１４２  接極子
１４３  補助継鉄
１４４  ヒンジバネ
１５  カード
１６  器体
１６１  ボディ
２３  電磁石ブロック
２３１  継鉄
２３２  ボビン
２３３  コイル部
２３４  コイル端子
２３５  接極子
２３６  ヒンジバネ
【図１】
0004048696.tif 000002
【図２】
0004048696.tif 000003
【図３】
0004048696.tif 000004
【図４】
0004048696.tif 000005
【図５】
0004048696.tif 000006
【図６】
0004048696.tif 000007
【図７】
0004048696.tif 000008
【図８】
0004048696.tif 000009
【図９】
0004048696.tif 000010
【図１０】
0004048696.tif 000011
【図１１】
0004048696.tif 000012
【図１２】
0004048696.tif 000013
【図１３】
0004048696.tif 000014
【図１４】
0004048696.tif 000015